(57)【要約】【課題】本発明は、身体に装着して冬季の外気より身体を保護及び身体部位の温度低下を防ぎ、発汗及び蒸れの防止効果に優れ、日常の行動に支障無く、簡単に脱着が可能、また、携帯が安易に出来るのを提供する事を課題とする。【解決手段】本発明の竹炭フェルト内蔵バンドは、伸縮性のある筒状編織物を筒状にし、接合部分にマジックテープ（登録商標）を使用する事により長さ調整及び脱着が容易に出来、竹炭フェルト（吸湿性、蓄熱性が高い）を内部に挿入する為、三重構造かなり、身体部位の密着度ないし気密性が高まる為、防寒効果を得られる。【選択図】　図１
2004052137.tif 000002
【特許請求の範囲】
【請求項１】
内部が中空で、帯状の、伸縮性のある筒状編織物から成り、筒状内部に竹炭フェルトを内蔵した竹炭フェルト内臓バンド。
【請求項２】
伸縮性のある筒状編織物を帯状にし、その両端にマジックテープ（登録商標）上部、下部を付ける事で、人体の頭部、首部、腹部、腕部、足部、各関節部に安易に不快感無く巻き付け可能となる事を特徴とする請求項１に記載の竹炭フェルト内臓バンド。
【請求項３】
裏面にマジックテープ（登録商標）上部９を装着する事により、人体接触面２のお好みの個所に脱着自由な磁気治療気８を取り付けられ、コリや血行を緩和する請求項１、請求項２に記載の竹炭フェルト内臓バンド。
【発明の詳細な説明】
【０００１】
【発明が属する技術分野】
本発明は、内部が中空で両端に上部、下部のマジックテープ（登録商標）を付ける事により身体部位に巻き付け止め可能となる帯状の伸縮性のある筒状編織物、且つ、中空部に、吸湿性、消臭性、防臭性、通気性、蓄熱性に優れ、遠赤外線を多量に放出し、空気中のマイナスイオンの量を増やす作用のある竹炭を練りこんだ竹炭フェルトを挿入し、脱着自由な磁気治療気を装着する竹炭フェルト内臓バンドに関するものである。
【０００２】
【従来の技術】
従来、身体に装着するヘッドバンド、リストバンド、首巻、腹巻、各種関節サポーター等、多種多様なものがある。
【０００３】
ヘッドバンド、リストバンドは汗を吸収する吸湿性が主な特徴。首巻、腹巻は各患部を保温するという蓄熱性が主な特徴。各種関節サポーターは、関節痛予防、又は関節痛緩和を目的とする遠赤外線効果が主な特徴である。
【０００４】
また、これらの大半が円環状の筒形形態になっている。
【０００５】
【発明が解決しようとする課題】
従来の技術で述べた各種バンド、サポーター類は、直接身体に接している事で身体から発する汗を吸着する。吸着した汗は後に異臭と発するのだが、各種バンド、サポーター類はこの事に対処された特徴が見当たらないのが現状である。
【０００６】
また従来の形態の大半は伸縮性のある円環状な為、脱着の繰り返しや洗濯時にかかる負担等により伸縮性の劣化が起こり、装着部位に対して必要な圧迫感を得る事が出来なくなり、身体保温効果（蓄熱性）、遠赤外線効果が低下する。
【０００７】
【課題を解決するための手段】
本発明は、従来の身体に装着するヘッドバンド、リストバンド、首巻、腹巻、各種関節サポーター類に必要な性能、効果である吸湿性、蓄熱性、遠赤外線効果に優れ、尚且つそれら従来製品の課題にあげた汗などによる異臭を取り除く性質の消臭性、防臭性にも優れた効果をもつ竹炭フェルトを、内部が中空で、帯状の、伸縮性のある筒状編織物に内蔵する事により、従来の性能、効果を保ち尚且つ課題をも解決出来る竹炭フェルト内蔵バンドを提供する。
【０００８】
形態を従来の伸縮性円環状ではなく、両端にマジックテープ（登録商標）上部下部が付く伸縮性帯状にする事で、これまで伸縮性にのみに頼っていた装着部位に対しての圧迫感の調整を、伸縮性とマジックテープ（登録商標）により調整できる事から、どんな状況下においても違和感無くお好みの装着感で使用できるので、身体保温効果（蓄熱性）、遠赤外線効果を損なう事の無い竹炭フェルト内蔵バンドを提供する。
【０００９】
また竹炭には、空気中のマイナスイオンの量を増やす作用があるので、特に頭部に近い部位（ヘッドバンド、首巻）での装着時にはリラグゼーション効果も得られる、竹炭フェルト内蔵バンドを提供する。
【００１０】
【発明の実施の形態】
以下、本発明の一実施例を図面に基づいて説明する。
【００１１】
図１から図６は、本実施の形態の竹炭フェルト内蔵ベルトを伸縮自在な首巻（ネックウオーマー）に適用したものである。図１は本体の非装着時の斜視図である。内部が中空で帯状の伸縮性のある筒状編織物外面１、内面２の中空内部に、竹炭フェルト６を挿入した三重構造（図４）からなる。竹炭フェルト６には伸縮性が無いので、筒状内部で編織物外面１、編織物内面２に固定しない事で、本体の伸縮性を確保する。竹炭フェルト６の挿入口は、マジックテープ（登録商標）上部４下部５を縫い付ける事により塞ぐ。図５は非装着時の正面図、図６は装着時の正面図である。長さ調節の折、マジックテープ（登録商標）下部５が表部に見えるのを防ぐ為、３を設ける。尚、３の中空内部には型崩れ防止の芯地を挿入する。又、装着時の張力による反り返りを防ぐためベルト止め７を設け、装着後の３を７へ通す。
【００１２】
裏面にマジックテープ（登録商標）上部９を貼り付けた脱着可能な磁気治療気８は、本体の編織物内面２のどの位置にでも脱着出来る事から、首部のお好みの位置でのコリや血行を緩和する事が出来る。
【００１３】
図７は本実施例によるところの首巻（ネックウオーマー）の身体装着図である。
【００１４】
図８は、竹炭フェルト内蔵バンドを手首に装着したリストバンド１１と、肘に装着した肘サポーター１２、図９は腰に巻いた腹巻（腰サポーター）１３、図１０は膝に巻いた膝サポーター１４である。
【００１５】
【発明の効果】
本発明は、内部が中空で両端に上部、下部のマジックテープ（登録商標）を装着する事により、身体部位に適合する長さで巻き付け装着が可能となる伸縮性のある帯状及び筒状の編織物で、筒状の中空部に竹炭を練り込んだ竹炭フェルトを挿入する事により、吸湿性、消臭性、通気性、蓄熱性に優れ、遠赤外線を多量に放出し、空気中のマイナスイオンの量を増やす事が出来る。尚且つ、脱着自由な磁気治療器を装着する竹炭フェルト内蔵バンドに関するものである。
【図面の簡単な説明】
【図１】竹炭フェルト内蔵バンドを首巻（ネックウオーマー）に適用した場合の、一部折り曲げる事によりマジックテープ（登録商標）上部４を示した斜系図である。
【図２】裏面にマジックテープ（登録商標）上部９を貼り付けた脱着可能な磁気治療気８の、表面図、裏面図である。
【図３】竹炭フェルトの斜系図である。
【図４】図１の透視斜系図である。
【図５】竹炭フェルト内蔵バンドを首巻（ネックウオーマー）に適用した場合の脱着時の正面図である。
【図６】竹炭フェルト内蔵バンドを首巻（ネックウオーマー）に適用した場合の装着時の正面図である。
【図７】竹炭フェルト内蔵バンドを首巻（ネックウオーマー）に適用した場合の人体装着時の図である。
【図８】竹炭フェルト内蔵バンドをリストバンド、肘サポーターに適用した場合の人体装着時の図である。
【図９】竹炭フェルト内蔵バンドを腹巻（腰サポーター）に適用した場合の人体装着時の図である。
【図１０】竹炭フェルト内蔵バンドを膝サポーターに適用した場合の人体装着時の図である。
【符号の説明】
１　伸縮性のある筒状編織物の外面。
２　伸縮性のある筒状編織物の内面。
３　１、２の先端余部。
４　マジックテープ（登録商標）上部。
５　マジックテープ（登録商標）下部。
６　竹炭フェルト。
７　バンド止め。
８　磁気治療器。
９　磁気治療器の裏面のマジックテープ（登録商標）上部。
１０　竹炭フェルト内蔵バンドの首巻（ネックウオーマー）。
１１　竹炭フェルト内蔵バンドのリストバンド。
１２　竹炭フェルト内蔵バンドの肘サポーター。
１３　竹炭フェルト内蔵バンドの腹巻（腰サポーター）。
１４　竹炭フェルト内蔵バンドの膝サポーター。
【図１】
2004052137.tif 000003
【図２】
2004052137.tif 000004
【図３】
2004052137.tif 000005
【図４】
2004052137.tif 000006
【図５】
2004052137.tif 000007
【図６】
2004052137.tif 000008
【図７】
2004052137.tif 000009
【図８】
2004052137.tif 000010
【図９】
2004052137.tif 000011
【図１０】
2004052137.tif 000012